(57)【要約】【課題】信頼性を向上できる電気掃除機を提供する。【解決手段】電動送風機を内装して床面上を移動する本体部２と、本体部２に係合して着脱自在に配されるとともに吸込気流を本体部２に導く接続ホース３と、本体部２と接続ホース３との係合の解除操作を行う係合解除部３１と、本体部２及び接続ホース３にそれぞれ設けられる端子部４１ａ、４１ｂを有して端子部４１ａ、４１ｂの接続によって本体部２と接続ホース３とを電気的に接続するとともに接続状態をロックするロック機構４２、４３が設けられるコネクタ４０とを備え、接続ホース３の接続時にコネクタ４０がロック機構４２、４３によりロックされ、係合解除部３１の操作によってロック機構４２、４３のロックが解除されるようにした。【選択図】図２
2013022222.tif 000002
【特許請求の範囲】
【請求項１】
電動送風機を内装して床面上を移動する本体部と、前記本体部に係合して着脱自在に配されるとともに吸込気流を前記本体部に導く接続ホースと、前記本体部と前記接続ホースとの係合の解除操作を行う係合解除部と、前記本体部及び前記接続ホースにそれぞれ設けられる端子部を有して両方の前記端子部の接続によって前記本体部と前記接続ホースとを電気的に接続するとともに接続状態をロックするロック機構が設けられるコネクタとを備え、前記接続ホースの接続時に前記コネクタが前記ロック機構によりロックされ、前記係合解除部の操作によって前記ロック機構のロックが解除されることを特徴とする電気掃除機。
【請求項２】
前記接続ホースに上下動自在に配して前記係合解除部を形成する押ボタンを設けるとともに、前記ロック機構が一方の前記端子部の周面に配されて他方の前記端子部に係合する回動自在の係合レバーを有し、前記押ボタンの押下により前記係合レバーが回動して前記ロック機構のロックが解除されることを特徴とする請求項１に記載の電気掃除機。
【請求項３】
前記押ボタンから左右に分岐して前記接続ホースの周壁に沿って下方に延びるアングルと、前記接続ホースの周壁の内面に突設される突起部とを設けるとともに、前記係合レバーを前記端子部の両側面に配置し、前記押ボタンの押下により前記アングルの下部が前記突起部によって内側に弾性変形して前記係合レバーの一端を押圧することにより前記係合レバーが回動することを特徴とする請求項２に記載の電気掃除機。
【請求項４】
前記コネクタの上面に前記係合レバーの一端に係合する回動自在の解除レバーを設けるとともに、前記係合レバーを前記端子部の上面に配置し、押下される前記押ボタンが前記解除レバーの一端を押圧して前記解除レバーが回動し、前記解除レバーの他端が前記係合レバーの一端を上昇させて前記係合レバーが回動することを特徴とする請求項２に記載の電気掃除機。
【発明の詳細な説明】
【技術分野】
【０００１】
本発明は、本体部に着脱自在の接続ホースを備えた電気掃除機に関する。
【背景技術】
【０００２】
従来の電気掃除機は特許文献１に開示されている。この電気掃除機は電動送風機を内装して筐体に軸支される車輪の転動により床面上を移動可能な本体部を備えている。本体部には吸気口が開口し、吸気口には接続ホースが本体部に係合して着脱自在に取り付けられる。接続ホースの一端には使用者の把持部及び操作部が設けられるとともに延長パイプが連結される。延長パイプの先端には床面に面した吸込口が開口する吸込口体が連結される。
【０００３】
接続ホースの端部には複数の電極が突出して設けられ、本体部には接続ホースの電極に嵌合する複数の電極が凹設される。接続ホースを本体部に取り付けた際に接続ホースの電極が本体部の電極内に挿通され、接続ホースと本体部とが電気的に接続される。これにより、本体部から操作部に電力を供給することができる。
【０００４】
上記構成の電気掃除機において、把持部を把持した使用者によって吸込口体が床面上を移動する。この時、接続ホースを介して牽引される本体部が床面上を移動する。電動送風機が駆動されると、吸込口から床面の塵埃を含む吸込気流が延長パイプ及び接続ホースを介して本体部に導かれる。本体部に流入した気流は本体部内で集塵され、塵埃を除去された空気が電動送風機を通過して排気される。これにより、床面の掃除が行われる。
【先行技術文献】
【特許文献】
【０００５】
【特許文献１】特開２００２−２８１１５号公報（第３頁−第５頁、第８図）
【発明の概要】
【発明が解決しようとする課題】
【０００６】
しかしながら、上記従来の電気掃除機によると、掃除を行う際に接続ホースを介して本体部が牽引される。このため、本体部と接続ホースとの係合のがたつきによって接続ホースの電極が本体部の電極内で振動する。これにより、両電極が摩耗して接触不良が発生し、電気掃除機の信頼性が低下する問題があった。
【０００７】
本発明は、信頼性を向上できる電気掃除機を提供することを目的とする。
【課題を解決するための手段】
【０００８】
上記目的を達成するために本発明は、電動送風機を内装して床面上を移動する本体部と、前記本体部に係合して着脱自在に配されるとともに吸込気流を前記本体部に導く接続ホースと、前記本体部と前記接続ホースとの係合の解除操作を行う係合解除部と、前記本体部及び前記接続ホースにそれぞれ設けられる端子部を有して両方の前記端子部の接続によって前記本体部と前記接続ホースとを電気的に接続するとともに接続状態をロックするロック機構が設けられるコネクタとを備え、前記接続ホースの接続時に前記コネクタが前記ロック機構によりロックされ、前記係合解除部の操作によって前記ロック機構のロックが解除されることを特徴としている。
【０００９】
この構成によると、本体部に接続ホースが係合して取り付けられると、本体部及び接続ホースにそれぞれ設けたコネクタの端子部が接続される。この時、コネクタはロック機構によりロックされ、両端子部の接続状態が保持される。これにより、本体部と接続ホースとが電気的に接続され、接続ホースを介して使用者による掃除操作が行われる。電動送風機の駆動によって吸込気流が接続ホースを流通し、本体部が接続ホースに牽引されて床面上を移動して床面の掃除が行われる。係合解除部の操作によって本体部に接続ホースとの係合が解除されると、同時にコネクタのロック機構のロックが解除される。これにより、接続ホースが本体部から取り外される。
【００１０】
また本発明は、上記構成の電気掃除機において、前記接続ホースに上下動自在に配して前記係合解除部を形成する押ボタンを設けるとともに、前記ロック機構が一方の前記端子部の周面に配されて他方の前記端子部に係合する回動自在の係合レバーを有し、前記押ボタンの押下により前記係合レバーが回動して前記ロック機構のロックが解除されることを特徴としている。
【００１１】
この構成によると、本体部に接続ホースを取り付けると、コネクタの一方の端子部に設けた回動自在の係合レバーが他方の端子部に係合してコネクタがロックされる。押ボタンを押下すると本体部と接続ホースとの係合が解除されるとともに、係合レバーが回動して係合レバーの係合が解除される。
【００１２】
また本発明は、上記構成の電気掃除機において、前記押ボタンから左右に分岐して前記接続ホースの周壁に沿って下方に延びるアングルと、前記接続ホースの周壁の内面に突設される突起部とを設けるとともに、前記係合レバーを前記端子部の両側面に配置し、前記押ボタンの押下により前記アングルの下部が前記突起部によって内側に弾性変形して前記係合レバーの一端を押圧することにより前記係合レバーが回動することを特徴としている。
【００１３】
この構成によると、押ボタンを押下すると押ボタンとともに降下するアングルの先端が突起部に当接して内側に弾性変形する。これにより、アングルがコネクタの両側面に配した係合レバーの一端を押圧して係合レバーの係合が解除される。
【００１４】
また本発明は、上記構成の電気掃除機において、前記コネクタの上面に前記係合レバーの一端に係合する回動自在の解除レバーを設けるとともに、前記係合レバーを前記端子部の上面に配置し、押下される前記押ボタンが前記解除レバーの一端を押圧して前記解除レバーが回動し、前記解除レバーの他端が前記係合レバーの一端を上昇させて前記係合レバーが回動することを特徴としている。
【００１５】
この構成によると、押ボタンを押下すると押ボタンが解除レバーの一端を押圧し、解除レバーが回動する。解除レバーの回動によって解除レバーの他端が係合レバーの一端を持ち上げ、係合レバーの係合が解除される。
【発明の効果】
【００１６】
本発明によると、本体部と接続ホースとを電気的に接続するコネクタのロック機構を設けたので、本体部と接続ホースとの係合のがたつきによる電極の摩耗を防止して電気掃除機の信頼性を向上することができる。また、接続ホースの接続時にコネクタがロック機構によりロックされ、係合解除部の操作によって本体部と接続ホースとの係合を解除するとともにロック機構のロックが解除される。従って、接続ホースを容易に着脱することができ、電気掃除機の利便性を向上することができる。
【図面の簡単な説明】
【００１７】
【図１】本発明の第１実施形態の電気掃除機を示す斜視図
【図２】本発明の第１実施形態の電気掃除機の連結部及び継手部を示す側面断面図
【図３】本発明の第１実施形態の電気掃除機の連結部及び継手部を示す上面断面図
【図４】本発明の第１実施形態の電気掃除機の継手部を示す正面図
【図５】本発明の第１実施形態の電気掃除機の接続ホースを取り外す際の連結部及び継手部を示す上面断面図
【図６】本発明の第１実施形態の電気掃除機の接続ホースを取り外す際の継手部を示す正面図
【図７】本発明の第２実施形態の電気掃除機の連結部及び継手部を示す側面断面図
【図８】本発明の第２実施形態の電気掃除機の接続ホースを取り外す際の連結部及び継手部を示す側面断面図
【発明を実施するための形態】
【００１８】
以下に本発明の実施形態を図面を参照して説明する。図１は第１実施形態の電気掃除機を示す斜視図である。電気掃除機１は電動送風機（不図示）を内装して電動送風機の上流に塵埃を捕集する集塵部（不図示）を配した本体部２を備えている。本体部２の背面には引き出し及び収納が可能な電源コード８が設けられる。電源コード８は電源プラグ９を先端に有し、商用電源のコンセントに差し込んで本体部２に電力供給される。
【００１９】
本体部２の前面には集塵部に連通する吸気口（不図示）を開口した連結部２０が設けられ、連結部２０には可撓性の接続ホース３の一端に設けた継手部３０が接続される。接続ホース３の先端には延長パイプ４が接続され、延長パイプ４の先端には床面に対向する吸込口（不図示）を有した吸込口体１０が設けられる。吸込口内には回転ブラシ（不図示）が配される。
【００２０】
また、接続ホース３の先端には把持部１３及び操作部１４が設けられる。使用者により把持部１３を把持して吸込口体１０を移動し、操作部１４の操作により掃除運転が実行される。また、把持部１３を把持した使用者によって接続ホース３を牽引して本体部２が床面上を移動する。
【００２１】
図２、図３は連結部２０及び継手部３０の側面断面図及び上面断面図を示している。また、図４は継手部３０の正面図を示している。継手部３０は前後に貫通する気流路３０ａが形成され、吸込口体５（図１参照）から吸込気流が気流路３０ａ内を流通する。継手部３０の上面には圧縮バネ３６によって上方に付勢された樹脂成形品の押ボタン３１が上下動自在に配される。押ボタン３１の後部には上方に突出する係合爪３２が一体に設けられる。
【００２２】
継手部３０は正面から連結部２０内に挿通され、連結部２０の上部カバー２０ａの前端に係合爪３２が係合して連結部２０に取り付けられる。また、押ボタン３１を押下すると、上部カバー２０ａと係合爪３２との係合が解除される。従って、押ボタン３１は本体部２と接続ホース３との係合の解除操作を行う係合解除部を構成する。
【００２３】
押ボタン３１には左右方向に分岐して継手部３０の周壁３０ｂに沿って下方に延びるアングル３３が一体に設けられる。継手部３０の左右の周壁３０ｂには突起部３７が突設される。押ボタン３１とともにアングル３３が降下すると、アングル３３の下端が突起部３７に当接するようになっている。
【００２４】
連結部２０には本体部２（図１参照）に配した制御部（不図示）に接続される複数のリード線４５ａが延設される。継手部３０には操作部１４（図１参照）や回転ブラシに接続される複数のリード線４５ｂが延設される。リード線４５ａ、４５ｂはコネクタ４０を介して接続される。
【００２５】
コネクタ４０は樹脂成形品の端子部４１ａ、４１ｂを備えている。端子部４１ａは連結部２０に配され、リード線４５ａを接続した電極（不図示）を内装する。端子部４１ａの両側面には係合突起４３が突設される。端子部４１ｂは継手部３０に配され、リード線４５ｂを接続した電極（不図示）を内装する。端子部４１ｂの両側面には支持部４２ａで回動自在に支持される係合レバー４２が設けられる。
【００２６】
コネクタ４０の端子部４１ｂと端子部４１ａを接続すると両方の電極が接触し、本体部２と接続ホース３とが電気的に接続される。これにより、操作部１４や回転ブラシに電力を供給することができる。この時、係合レバー４２が係合突起４３に係合し、コネクタ４０の接続状態がロックされる。従って、係合レバー４２及び係合突起４３はコネクタ４０の接続状態をロックするロック機構を構成する。
【００２７】
ロック機構によってコネクタ４０の接続状態がロックされるため、把持部１３を把持した使用者によって接続ホース３を介して本体部２が牽引された際に本体部２と接続ホース３との係合のがたつきが発生しても電極の摩耗を防止することができる。
【００２８】
図５は押ボタン３１を押下して接続ホース３を取り外す際の連結部２０及び継手部３０を示す上面断面図である。また、図６はこの時の継手部３０を示す正面図である。押ボタン３１が押下されると前述したように上部カバー２０ａと係合爪３２（図２参照）との係合が解除される。
【００２９】
また、押ボタン３１と一体にアングル３３が降下し、アングル３３の先端が突起部３７に当接する。突起部３７に当接した両方のアングル３３は互いに近づく方向に弾性変形し、コネクタ４０の係合レバー４２の一端を押圧する。これにより、係合レバー４２が回動し、係合突起４３との係合解除によってコネクタ４０のロックが解除される。この状態で継手部３０を連結部２０から引き抜くと接続ホース３を取り外すことができる。従って、押ボタン３１の押下によって接続ホース３の係合解除及びコネクタ４０のロック解除を同時に行うことができる。
【００３０】
本実施形態によると、本体部２と接続ホース３とを電気的に接続するコネクタ４０のロック機構（４２、４３）を設けたので、本体部２と接続ホース３との係合のがたつきによる電極の摩耗を防止して電気掃除機１の信頼性を向上することができる。
【００３１】
また、接続ホース３の接続時にコネクタ４０がロック機構（４２、４３）によりロックされ、押ボタン３１（係合解除部）の操作によって本体部２と接続ホース３との係合を解除するとともにロック機構（４２、４３）のロックが解除される。従って、接続ホース３を容易に着脱することができ、電気掃除機１の利便性を向上することができる。
【００３２】
また、本体部２のリード線４５ａと接続ホース３のリード線４５ｂとの接続をコネクタ４０を介して行うので、接続ホース３や延長パイプ４に配される電装部品の増加によってリード線の数が増加しても容易に対応することができる。
【００３３】
また、上下動自在の押ボタン３１を設け、押ボタン３１の押下により係合レバー４２が回動してコネクタ４０のロックが解除されるので、本体部２と接続ホース３との係合及びコネクタ４０のロックを解除する係合解除部を容易に実現することができる。
【００３４】
また、係合レバー４２が端子部４１ｂの両側面に配され、押ボタン３１から左右に分岐して下方に延びるアングル３３の下部が押ボタン３１の押下により突起部３７によって内側に弾性変形して係合レバー４２の一端を押圧する。これにより、押ボタン３１の押下による係合レバー４２の係合解除を容易に実現することができる。
【００３５】
尚、コネクタ４０の端子部４１ａ、４１ｂは連結部２０及び継手部３０にそれぞれ収納された状態で取り付けられる。連結部２０から継手部３０が取り外されると、コネクタ４０の端子部４１a、４１ｂがそれぞれ離れた状態となる。この時、連結部２０と端子部４１ａとの間及び継手部３０と端子部４１ｂとの間には若干の隙間による遊びが設けられる。これにより、連結部２０に継手部３０を接続する際に、端子部４１ａと端子部４１ｂとの結合をスムーズに行なうことができる。
【００３６】
次に、図７は第２実施形態の電気掃除機１の連結部２０及び継手部３０を示す側面断面図である。説明の便宜上、前述の図１〜図６に示す第１実施形態と同様の部分には同一の符号を付している。本実施形態は第１実施形態に対してアングル３３及び突起部３７（図４参照）が省かれ、コネクタ４０のロック機構の構造が異なっている。その他の部分は第１実施形態と同様である。
【００３７】
押ボタン３１の後部には下方に突出する突出部３４が設けられる。コネクタ４０の係合レバー４２は連結部２０に配される端子部４１ａの上面に設けられ、係合突起４３は継手部３０に配される端子部４１ｂの上面に設けられる。また、端子部４１ｂの上面には支持部４４ａで回動自在に支持される解除レバー４４が設けられる。解除レバー４４の一端は押ボタン３１の突出部３４に対向し、他端は係合レバー４２の下方に配される。
【００３８】
コネクタ４０の端子部４１ｂと端子部４１ａを接続すると係合レバー４２が係合突起４３に係合し、コネクタ４０の接続状態がロックされる。この時、解除レバー４４が端子部４１ｂの筐体表面と係合レバー４２との間に挟まれる。
【００３９】
図８は押ボタン３１を押下して接続ホース３を取り外す際の連結部２０及び継手部３０を示す側面断面図である。押ボタン３１が押下されると前述したように上部カバー２０ａと係合爪３２（図２参照）との係合が解除される。
【００４０】
また、押ボタン３１と一体に突出部３４が降下し、突出部３４が解除レバー４４の一端を押圧する。解除レバー４４は押圧により回動し、解除レバー４４の他端が係合レバー４２の一端を上昇させる。これにより、係合レバー４２が回動し、係合突起４３との係合解除によってコネクタ４０のロックが解除される。この状態で継手部３０を連結部２０から引き抜くと接続ホース３を取り外すことができる。従って、押ボタン３１の押下によって接続ホース３の係合解除及びコネクタ４０のロック解除を同時に行うことができる。
【００４１】
本実施形態によると、第１実施形態と同様に、本体部２と接続ホース３とを電気的に接続するコネクタ４０のロック機構（４２、４３）を設けたので、本体部２と接続ホース３との係合のがたつきによる電極の摩耗を防止して電気掃除機１の信頼性を向上することができる。
【００４２】
また、接続ホース３の接続時にコネクタ４０がロック機構（４２、４３）によりロックされ、押ボタン３１（係合解除部）の操作によって本体部２と接続ホース３との係合を解除するとともにロック機構（４２、４３）のロックが解除される。従って、接続ホース３を容易に着脱することができ、電気掃除機１の利便性を向上することができる。
【００４３】
また、係合レバー４２及び解除レバー４４を端子部４１ａ、４１ｂの上面に配し、押ボタン３１の押下により押圧される解除レバー４４の回動によって係合レバー４２の一端が上昇する。これにより、押ボタン３１の押下による係合レバー４２の係合解除を容易に実現することができる。
【００４４】
本実施形態において、解除レバー４４を省いて係合突起４３及び係合レバー４２をそれぞれ端子部４１ａ及び端子部４１ｂの上面に設けてもよい。これにより、押ボタン３１の突出部３４が係合レバー４２の一端を押圧して係合レバー４２を回動させることができる。
【００４５】
また第１、第２実施形態において、連結部２０と継手部３０との接続部について説明したが、把持部１３と延長パイプ４との接続部においても同様なコネクタによる接続を行ってもよい。
【産業上の利用可能性】
【００４６】
本発明によると、本体部に対して着脱自在の接続ホースを備えた電気掃除機に利用することができる。
【符号の説明】
【００４７】
１    電気掃除機
２    本体部
３    接続ホース
４    延長パイプ
５    吸込口体
１３    把持部
１４    操作部
２０    連結部
２０ａ  上部カバー
３０    継手部
３０ｂ  周壁
３１    押ボタン
３２    係合爪
３３    アングル
３４    突出部
３６    圧縮バネ
３７    突起部
４０    コネクタ
４１ａ、４１ｂ  端子部
４２    係合レバー
４３    係合突起
４４    解除レバー
４５ａ、４５ｂ  リード線
【図１】
2013022222.tif 000003
【図２】
2013022222.tif 000004
【図３】
2013022222.tif 000005
【図４】
2013022222.tif 000006
【図５】
2013022222.tif 000007
【図６】
2013022222.tif 000008
【図７】
2013022222.tif 000009
【図８】
2013022222.tif 000010